(57)【要約】【課題】    階段などの狭い場所でも被搬送者を安全に搬送でき、かつ、被搬送者の固定手段を備えることで安定よく搬送できるようにした担架を提供すること。【解決手段】      担架１０が、樹脂シート又は布製シートなどによる軟質シート材により構成されている。担架１０は展開した状態で基端部から順に頭部固定部１１、胴部固定部１２、脚部固定部１３が連続して一体に形成されている。胴部固定部１２の両側縁に担架の長手方向に直交する方向に突出する胴部固定ベルト１５を設け、胴部固定ベルト１５は被搬送者の腰部を固定するためのものであって面ファスナー１６を設けて開閉自在とした。胴部固定部１２の基端部に被搬送者の肩部を固定する肩部固定ベルト２０を設けている。担架１０の裏面に設けた紐通し部材（３１，３１ａ）に担架搬送ベルト３０を着脱自在に挿通した。【選択図】    図１
2009005727.tif 000002
【特許請求の範囲】
【請求項１】
担架が、樹脂シート又は布製シートなどによる軟質シート材により構成されており、展開した状態で基端部から順に頭部固定部（１１）、胴部固定部（１２）、脚部固定部（１３）が連続して一体に形成され、上記胴部固定部の両側縁に担架の長手方向に直交する方向に突出させた胴部固定ベルト（１５）を設け、該胴部固定ベルトは被搬送者の腰部を固定するためのものであって開閉自在に形成し、上記担架の裏面両端近傍に紐通し区域が２箇所形成された一対の紐通し部材（３１，３１ａ）を設け、該一対の紐通し部材に環状に形成した担架搬送ベルト（３０）を着脱自在に挿通し、上記担架搬送ベルトは、使用時の長さが調整できると共に上記２つの紐通し部材に対して平面視Ｘ字状に装着されていることを特徴とする担架。
【請求項２】
担架の胴部固定部（１２）の先端部近傍に、被搬送者の脚部を固定するための脚部固定ベルト（１７）を設け、該脚部固定ベルトは、使用時の長さが調整できることを特徴とする請求項１に記載の担架。
【請求項３】
担架の胴部固定部（１２）の基端部近傍に、被搬送者の肩部を固定するための肩部固定ベルト（２０）を設け、該肩部固定ベルトは、使用時の長さが調整できることを特徴とする請求項１に記載の担架。
【請求項４】
担架の裏面の基端部近傍に、担架を背負うための背負いベルト（３３）を設けたことを特徴とする請求項１に記載の担架。
【請求項５】
担架の裏面周縁部に、担架を掴むための複数個の担架搬送取っ手（３４）を設けたことを特徴とする請求項１に記載の担架。
【請求項６】
担架の脚部固定部（１３）の先端が胴部固定部材（１２）に向って折り畳まれており、折り畳まれた部材を足が挿入できる足挿入袋（２２）に形成したことを特徴とする請求項１に記載の担架。
【請求項７】
担架の脚部固定部（１３）と胴部固定部（１２）とに面ファスナー（２３）を設け、当該脚部固定部を折り畳んで上記面ファスナーを接合して足挿入袋（２２）を使用不可にしたことを特徴とする請求項６に記載の担架。
【請求項８】
紐通し部材（３１，３１ａ）は、平面視でＶ字形を呈しており、胴部固定部（１２）の両端部にＶ字の谷部が互いに向い合うように配置し、当該谷部及びＶ字状先端部を固定したことを特徴とする請求項１から７のいずれかに記載の担架。
【発明の詳細な説明】
【技術分野】
【０００１】
本発明は、担架に関しており、さらに詳しくは、従来公知の搬送用棒材を使用しないものであって階段等の狭い場所での使用に好適な担架に関している。
【背景技術】
【０００２】
従来から知られている担架は、搬送布部材の両側部に棒材を設けたものであって、搬送布部材に被搬送者を乗せ、搬送者が搬送布部材の前後から突出している棒材を握り、二人掛かりで被搬送者を搬送するものであった。しかし、従来タイプの担架は、搬送用の棒材が設けられているので、階段など狭い場所での使用が不便であり使い勝手が良いとは言えないものであった。
【０００３】
しかし、狭い場所でも使用が容易な担架は提案されており、その一例として、方形状布の四隅部に搬送手段としての取っ手を設け、左右両側部に肩担ぎ紐ないしは肩掛けベルトを設けた担架が特許文献１，２により紹介されている。
【０００４】
【特許文献１】特開２００３−３８５７５号公報
【特許文献２】登録実用新案第３１０８１９０号公報
【０００５】
特許文献１，２に記載の担架は、搬送用の棒材を使用しないものであり、また担架本体が布製であるから、小回りが可能となり、狭い場所で使用し易いことの利点があるが、被搬送者を担架に固定する手段を備えていないので、被搬送者を搬送する場合は最善の注意を要することが当然であることを前提としても、被搬送者を安定よく搬送することが難しいものである。
【０００６】
近時の住宅事情は、戸建の場合であっても２階又は３階立ての家屋がみられるので、担架を用いて病人や怪我人を搬送する場合は、階段等で如何に手際よく搬送できるかが課題となる。また、エレベータを利用して搬送する場合も多いので、これからは、狭い場所において被搬送者を安全に搬送することが重要な課題となる。
【発明の開示】
【発明が解決しようとする課題】
【０００７】
本発明が解決しようとする課題は、階段などの狭い場所でも被搬送者を安全に搬送できると共に、被搬送者の固定手段を備えることにより安定よく搬送できるようにした担架を提供することである。
【課題を解決するための手段】
【０００８】
課題を解決するための第１の手段は、担架が、樹脂シート又は布製シートなどによる軟質シート材により構成されており、展開した状態で基端部から順に頭部固定部、胴部固定部、脚部固定部が連続して一体に形成され、上記胴部固定部の両側縁に担架の長手方向に直交する方向に突出させた胴部固定ベルトを設け、該胴部固定ベルトは被搬送者の腰部を固定するためのものであって開閉自在に形成し、上記担架の裏面両端近傍に紐通し区域が２箇所形成された一対の紐通し部材を設け、該一対の紐通し部材に環状に形成した担架搬送ベルトを着脱自在に挿通し、上記担架搬送ベルトは、使用時の長さが調整できると共に上記一対の紐通し部材に対して平面視Ｘ字状に装着されていることを特徴とするものである。
【０００９】
課題を解決するための第２の手段は、解決手段の第１において、担架の胴部固定部の先端部近傍に、被搬送者の脚部を固定するための脚部固定ベルトを設け、該脚部固定ベルトは、使用時の長さが調整できることを特徴とするものである。
【００１０】
課題を解決するための第３の手段は、解決手段の第１において、担架の胴部固定部の基端部近傍に、被搬送者の肩部を固定するための肩部固定ベルトを設け、該肩部固定ベルトは、使用時の長さが調整できることを特徴とするものである。
【００１１】
課題を解決するための第４の手段は、解決手段の第１において、担架の裏面の基端部近傍に、担架を背負うための背負いベルトを設けたことを特徴とするものである。
【００１２】
課題を解決するための第５の手段は、解決手段の第１において、担架の裏面周縁部に、担架を掴むための複数個の担架搬送取っ手を設けたことを特徴とするものである。
【００１３】
課題を解決するための第６の手段は、解決手段の第１において、担架の脚部固定部の先端が胴部固定部材に向って折り畳まれており、折り畳まれた部材を足が挿入できる足挿入袋に形成したことを特徴とするものである。
【００１４】
課題を解決するための第７の手段は、解決手段の第６において、担架の脚部固定部と胴部固定部とに面ファスナーを設け、当該脚部固定部を折り畳んで上記面ファスナーを接合して足挿入袋を使用不可にしたことを特徴とするものである。
【００１５】
課題を解決するための第８の手段は、解決手段の第１から７のいずれかにおいて、紐通し部材が、平面視でＶ字形を呈しており、胴部固定部の両端部にＶ字の谷部が互いに向い合うように配置し、当該谷部及びＶ字状先端部を固定したことを特徴とするものである。
【発明の効果】
【００１６】
請求項１は、担架が軟質シート材により構成され、担架に被搬送者を固定するための胴部固定ベルトを設けると共に、担架を搬送するための担架搬送ベルトが設けられているから、従来知られた担架搬送用の棒材が不要であって、階段及びエレベータなどの狭い場所での搬送が容易となり、被搬送者を安全かつ安定よく搬送できる効果を有する。また、担架を搬送する担架搬送ベルトが、担架の裏面両端近傍に紐通し区域が２箇所形成された一対の紐通し部材に対して平面視Ｘ字状に装着されているから、担架搬送ベルトを縦方向に引っ張った場合、当該担架搬送ベルトが担架の裏面でＸ字状に交差するので担架の側部から外れることが防止でき、被搬送者を案全に搬送できるものである。さらに又、担架搬送ベルトを横方向に引っ張った場合、いずれか一方の紐通し部材に担架搬送ベルトが捻られた状態で挿通されるので、担架搬送ベルトが紐通し部材に固定されることになり、結果として担架搬送ベルトと担架が一体的になるので、この場合も被搬送者を安全に搬送できるものとなる。
【００１７】
請求項２は、被搬送者の脚部を担架に固定するための脚部固定ベルトを設けたものであるから、被搬送者は胴部とともに脚部をも固定されるから、より安定よく搬送されるものとなる。
【００１８】
請求項３は、被搬送者の肩部を担架に固定するための肩部固定ベルトを設けたものであるから、被搬送者は胴部とともに肩部をも固定されるから、より安定よく搬送されるものとなる。
【００１９】
請求項４は、担架の裏面に担架を背負うための背負いベルトを設けたものであるから、担架を背負って搬送することができ、この場合は、背負った搬送者の両手が自由に使え搬送中の安全が確保されるものとなる。
【００２０】
請求項５は、担架を掴むための担架搬送取っ手を設けたものであるから、複数人で担架を搬送するのに都合がよいものとなる。
【００２１】
請求項６は、担架の先端部に足挿入袋を設けたものであるから、被搬送者が搬送中に足先を差し込む姿勢がとれるので、不安感がなく心地よく搬送されるものとなる。
【００２２】
請求項７は、脚部固定部の先端部と胴部固定部の近傍とに面ファスナーを設け、上記脚部固定部を折り畳んで上記面ファスナーを接合して足挿入袋を使用不可にしたものであるから、足挿入袋を選択的に使用することができるものとなる。
【００２３】
請求項８は、紐通し部材が平面視でＶ字形を呈しており、胴部固定部の両端部にＶ字の谷部が互いに向い合うように配置し、当該谷部及びＶ字状先端部を固定したものであるから、担架搬送ベルトを横方向に引っ張った場合、いずれか一方の紐通し部材に担架搬送ベルトが捻られた状態で挿通されるので、搬送時に担架の側部が引っ張られたり又は傾いたりすることがなく、被搬送者を安全に搬送できるものとなる。
【発明を実施するための最良の形態】
【００２４】
図１は担架を展開して表面側からみた状態を示す斜視図、図２は担架を展開して裏面側からみた状態を示す斜視図、図３は図２において搬送ベルトを担架の横方向に引出した状態を示す斜視図、図４は担架の中央縦断面図、図５は被搬送者を担架に固定した状態を示す平面図である。
【００２５】
まず、図１により担架の表面側を説明する。本発明に係る担架１０は、樹脂製シート又は布製シートなどによる軟質シート材により構成されたものであって、展開した状態で、基端部から順に、頭部固定部１１、胴部固定部１２、脚部固定部１３が連続して一体に形成されたものである。
【００２６】
特に図３を参照して、上記頭部固定部１１及び胴部固定部１２には、内部に詰物１４を収容して適度の厚みを持たせ、被搬送者が心地よく搬送されるようにしている。
【００２７】
本明細書において、担架１０の「基端部」とは、頭部固定部１１が設けられている部分を指し、また、担架１０の「先端部」とは、脚部固定部１３が設けられている部分を指している。この他、単に「基端部」という場合は、被搬送者を搬送する時の被搬送者の頭部方向をいい、また、「先端部」という場合は、被搬送者を搬送する時の被搬送者の脚部方向をいう。
【００２８】
上記胴部固定部１２の中央部には、担架１０を展開したときの両側縁に、担架の長手方向に直交する方向に向って突出する胴部固定ベルト１５が設けられている。なお、胴部固定ベルト１５は被搬送者の腰部を固定するものであって、重合部分に面ファスナー１６を設けて開閉自在としている。また、上記胴部固定部１２には、上記胴部固定ベルト１５を設けた位置よりも先端側に隣接して脚部固定ベルト１７が設けられており、該脚部固定ベルト１７は被搬送者の脚部を固定するものであって、当該脚部固定ベルト１７の使用時の長さを調整する第１の止め金構造１８が設けられている。
【００２９】
また、上記胴部固定部１２の基端部近傍となり、かつ上記頭部固定部１１との境界部分に被搬送者の肩部を固定するための一対の肩部固定ベルト２０が設けられている。なお、該肩部固定ベルト２０は、長さ調整ができる第２の止め金構造２１を有しており、被搬送者の腕を通して肩部を胴部固定部１２に固定するものである。
【００３０】
上記脚部固定部１３には、被搬送者の足部が挿入できる足挿入袋２２が形成されているので（図４参照）、被搬送者は足先を該足挿入袋２２に挿入して搬送されるようになっているが、脚部固定部１３の先端部及び胴部固定部１２の近傍に面ファスナー２３が設けられているので、当該足挿入袋２２が不要な場合は、脚部固定部１３を折り畳んで上記面ファスナー２３を接合すると、足挿入袋２２を使用しないで被搬送者を搬送することができるようになる。なお、後に詳しく説明するが、図５は脚部固定部１３を畳んで搬送する場合の使用態様を示している。
【００３１】
次に、図２，図３により担架の裏面側を説明する。担架１０の裏面には、胴部固定部１２の基端部及び先端部に担架搬送ベルト３０を着脱自在に通すための紐通し部材３１，３１ａが設けられている。ここで紐通し部材３１，３１ａは、平面視Ｖ字形を呈しており、Ｖ字の谷部が互いに向い合うように配置され、当該谷部及びＶ字状先端部を固定したものであって、紐通し区域が２箇所形成されているものである。
【００３２】
上記担架搬送ベルト３０は、担架１０を搬送するのに十分な長さを有しており、担架の長手方向に引出した時に、紐通し部材３１，３１ａに対して平面視Ｘ字状に装着されているものである。図中、３２は担架搬送ベルト３０の長さを調整する長さ調整具である。
【００３３】
上記担架搬送ベルト３０を担架の長手方向に平行して引出した場合（図２）、当該担架搬送ベルト３０が担架の裏面でＸ字状に交差するので担架１０の側部から外れることが防止でき、被搬送者を案全に搬送できるものとなる。また、担架搬送ベルト３０を担架の長手方向に直交して引出した場合（図３）、いずれか一方の紐通し部材３１ａに担架搬送ベルト３０が捻られた状態で挿通されるので、担架搬送ベルトが紐通し部材に固定されることになり、結果として担架搬送ベルトと担架が一体的になるので、この場合も被搬送者を安全に搬送できるものとなる。
【００３４】
また、担架１０の裏面には、基端部の近傍に担架１０を背負うための背負いベルト３３が設けられている。この他、担架１０の長手方向及び直交する方向のいずれの周縁部にも複数個の担架搬送取っ手３４が設けられている。
【００３５】
ここで、図５を参照して被搬送者を担架に固定する手順を説明する。図は、被搬送者が既に担架に固定されている状態を示している。担架１０は表面側を広げ、胴部固定ベルト１５及び脚部固定ベルト１７を開放状態にする。被搬送者は、頭部を頭部固定部１１に載せ、胴部を胴部固定部１２に載せ、脚部を脚部固定部１３に載せた後、胴部を胴部固定ベルト１５により、脚部を脚部固定ベルト１７により担架１０に固定する。また、同時に被搬送者の腕を肩部固定ベルト２０に通して肩部を担架１０に固定する。
【００３６】
実施形態において、脚部固定部１３は折り畳んでいるので、足挿入袋２２は使用できない態様になっている。したがって、被搬送者の足首は担架１０から突出している。このようにして被搬送者が担架１０に固定されたら、担架を持上げるか又は背負うかして被搬送者を目的地に搬送する。
【００３７】
次に、図６及び図７を参照して被搬送者を搬送する形態を説明する。図６は、担架１０を背負って搬送する場合であって、２名の搬送者のうち一人が担架１０の裏面に設けられた背負いベルト３３により当該担架１０を背負い、もう一人が身体固定部１２の先端よりの担架搬送取っ手３４を掴んで搬送する。また、図７は、担架１０を平坦状態にしたまま搬送する場合であって、２名の搬送者が互いに向い合って担架１０の裏面に設けられた担架搬送取っ手３４を掴み、同時に担架搬送ベルト３０を肩に掛けて当該担架１０を持ち上げて搬送する。
【００３８】
図６に示すように、担架１０を背負って搬送する場合、被搬送者は、あたかも椅子に掛けている状態で搬送され、しかも、担架１０の端を掴んでいる搬送者と向い合うことができるので不安感がなく搬送されるものとなる。一方、図７に示す場合は、２名の搬送者がいずれも被搬送者と向い合っているので被搬送者の不安感は皆無となる。
【００３９】
なお、図６の場合は、脚部固定部１３を折り畳んで使用しているが、図７の場合は、脚部固定部１３を伸展して足挿入袋２２を使用可能にしているので、この場合は、被搬送者の足首が足挿入袋２２に挿入されている。ただし、脚部固定部１３を折り畳んで使用するか否かは任意である。
【００４０】
実施形態による担架は、背負い型搬送及び担架を平坦状態で搬送する担架型搬送のいずれの場合も、従来から知られた搬送用の棒を使用していないので、狭い階段での搬送ならびにエレベータ等を利用する搬送に適するものである。
【図面の簡単な説明】
【００４１】
【図１】担架を展開して表面側からみた状態を示す斜視図。
【図２】担架を展開して裏面側からみた状態を示す斜視図。
【図３】図２において搬送ベルトを担架の横方向に引出した状態を示す斜視図。
【図４】担架の中央縦断面図。
【図５】被搬送者を担架に固定した状態を示す平面図。
【図６】担架を背負って被搬送者を搬送する状態を示す斜視図。
【図７】担架を平坦状態にして被搬送者を搬送する状態を示す斜視図。
【符号の説明】
【００４２】
１０  担架
１１  頭部固定部
１２  身体固定部
１３  脚部固定部
１４  詰物
１５  胴部固定ベルト
１６  面ファスナー
１７  脚部固定ベルト
１８  第１の止め金構造
２０  肩部固定ベルト
２１  第２の止め金構造
２２  足挿入袋
２３  面ファスナー
３０  担架搬送ベルト
３１  紐通し部材
３２  長さ調整具
３３  背負いベルト
３４  担架搬送取っ手
【図１】
2009005727.tif 000003
【図２】
2009005727.tif 000004
【図３】
2009005727.tif 000005
【図４】
2009005727.tif 000006
【図５】
2009005727.tif 000007
【図６】
2009005727.tif 000008
【図７】
2009005727.tif 000009